(57)【特許請求の範囲】
【請求項１】
複数の記憶領域を有し、送信端末から送られるマークシート原稿を前記送信端末に指定された記憶領域に格納する第１の記憶手段と、この第１の記憶手段に格納されたマークシート原稿を認識する認識手段と、記憶領域を特定する情報とこの記憶領域に格納されるマークシートの認識処理通数とを対応させて格納した第２の記憶手段と、前記認識手段により正常に認識できた通数が認識処理通数に達した時点でその記憶領域の他のマークシート原稿の認識処理を打ち切る制御手段とを具備したマークシート認識装置。
【請求項２】
複数の記憶領域を有し、送信端末から送られるマークシート原稿を前記送信端末に指定された記憶領域に格納する第１の記憶手段と、この第１の記憶手段に格納されたマークシート原稿を認識する認識手段と、記憶領域を特定する情報とその記憶領域に格納されるマークシート原稿の種類とを対応させて格納する第２の記憶手段と、前記認識手段によりマークシート原稿中からマークシート原稿の種類を示す情報を認識処理させ、その結果が前記第２の記憶手段に記憶された種類と一致しない場合は当該マークシート原稿のその他の部分の認識処理をさせずに認識エラーとする制御手段とを具備したマークシート認識装置。
【請求項３】
前記制御手段が認識エラーとしたマークシート原稿に対しては、その発信元の送信端末に認識処理が実行されない旨の情報を返信することを特徴とする請求項２記載のマークシート認識装置。
【発明の詳細な説明】
【０００１】
【産業上の利用分野】
本発明は端末のファクシミリ装置よりセンターに送信されてくるマークシート原稿を認識するマークシート認識装置に関する。
【０００２】
【従来の技術】
マークシートに注文品などを記入し、ファクシミリ装置によりセンターに送信すると、センターではこのマークシートを認識して注文内容を把握するというような、ファクシミリ端末とデータ受信装置とマークシート認識装置からなるマークシート認識システムが用いられている。データ受信装置は、私書箱と同様な機能を有し、ボックス番号の付いた記憶領域を有している。各記憶領域はそれぞれ特有のデータを取り扱うように定めておき、この旨各端末に知らせておく。各端末は送信するデータの内容により、ボックス番号を指定して送信し、データ受信装置は、指定されたボックス番号の記憶領域に送信されてきたデータを格納する。マークシート認識装置はいくつかの記憶領域（以下これをボックスと言う）を担当し、定期的に記憶領域をサーチしてデータが送信されてきたか調べ、送信されているときは、それを認識する。
【０００３】
【発明が解決しようとする課題】
上記のようなメールボックスを利用したファクシミリ通信は、特に物品の購入等の注文、クイズ等の応募、アンケートの収集等に利用される場合が多い。ここで、このような目的で利用する場合、先着何通までの注文を受注する、あるいは当選にするというような形態で利用されている場合も多い。しかしながら、従来のこの種の通信システムではその注文数を超えた着信データまでマークシートの認識を行い、無駄な認識作業が行われていた。また、上記のような目的でメールボックスを利用する場合、一般的に発信者は不特定人となる。そして、メールボックス内の各記憶領域は異なる目的（例えば、ある記憶領域はＡ商品の注文に利用され、別の記憶領域はＢ商品の注文に利用される等）で利用する方法が一般的である。このような場合、発信者は通信に不慣れな不特定人であるために誤った記憶領域に注文等を発信してしまう場合があり、この結果、自己の欲する商品の注文ができない場合が生ずる。なお、これは商品の注文に限らず、上記のクイズの応募、アンケートの収集でも同様である。
【０００４】
本発明は上記の課題を解決するために為されたものであり、無駄な認識作業を一切行わず、マークシート認識処理の運用効率を向上させたマークシート認識装置を提供することを目的とする。また、本発明では発信者が誤った記憶領域を指定した場合にも、同様に認識処理を行わないものである。そして、発信者に誤った記憶領域を指定したことを容易に通知できるようにしたマークシート認識装置を提供することを目的とする。すなわち、要するに、本発明では上記のような物品の購入等の注文、クイズ等の応募、アンケートの収集等に利用されるファクシミリ通信に適したマークシート認識装置を提供することを目的とするものである。
【０００５】
【課題を解決するための手段】
上記目的を達成するため、請求項１の発明では、複数の記憶領域を有し、送信端末から送られるマークシート原稿を前記送信端末に指定された記憶領域に格納する第１の記憶手段と、この第１の記憶手段に格納されたマークシート原稿を認識する認識手段と、記憶領域を特定する情報とこの記憶領域に格納されるマークシートの認識処理通数とを対応させて格納した第２の記憶手段と、前記認識手段により正常に認識できた通数が認識処理通数に達した時点でその記憶領域の他のマークシート原稿の認識処理を打ち切る制御手段とを備えたものである。
【０００６】
また、同様に運用効率を高めるため、請求項２に係る発明では複数の記憶領域を有し、送信端末から送られるマークシート原稿を前記送信端末に指定された記憶領域に格納する第１の記憶手段と、この第１の記憶手段に格納されたマークシート原稿を認識する認識手段と、記憶領域を特定する情報とその記憶領域に格納されるマークシート原稿の種類とを対応させて格納する第２の記憶手段と、前記認識手段によりマークシート原稿中からマークシート原稿の種類を示す情報を認識処理させ、その結果が前記第２の記憶手段に記憶された種類と一致しない場合は当該マークシート原稿のその他の部分の認識処理をさせずに認識エラーとする制御手段とを備えたものである。
【０００７】
【作用】
請求項１の発明によれば、記憶領域に対して、そこに記憶される着信通数の内、認識処理する通数を予め定めているので、認識手段はその通数になったら認識処理を停止する。これにより先着何通までの注文を受け付けるというような場合に、受け付ける通数のみの認識処理を行うことができる。
【０００８】
また、請求項２の発明によれば、予め記憶領域ごとにそこで扱うマークシート原稿の種類を定め、端末よりこの種類に応じて記憶領域を指定して送信させるようにし、定めた種類と異なるマークシート原稿に対して認識処理を行われないようにすることができるので、認識処理の効率が上がり、認識時間も短縮される。さらに、認識処理を行わないようにしたマークシート原稿の発信元には、認識処理をしない旨の返信をするようにしたので、発信元も自己の送信したマークシート原稿の結果がわかり、次回からは正しい記憶領域宛てに送信するようになる。
【０００９】
【実施例】
以下、本発明の一実施例について図面を参照して説明する。図１は本発明の一実施例におけるマークシート認識システムの構成を示すブロック図である。なお、本実施例ではマークシートを認識するシステムとして説明するが単体のマークシート認識装置として本発明に必要な全ての構成を備えているものについても代替できることは言うまでもない。図１において、ファクシミリ端末１は電話回線網２を介して通信制御部３に接続されている。通信制御部３は複数の回線（本実施例では８回線）を有し、ファクシミリ端末１より送信されてくるマークシート原稿をファイルサーバー４に格納する。ファイルサーバー４は複数の記憶領域を有するメモリで構成され、私書箱の機能を有し、複数の私書箱領域、マークシートや私書箱に関する情報、この原稿の管理および認識結果を記憶する領域から構成されている。つまり、ファクシミリ端末１より指定された記憶領域に同じくファクシミリ端末１より送信されたマークシート原稿を格納させるものである。ＯＭＲ認識装置５は、ファイルサーバー４に格納されたマークシート原稿を認識し、認識した結果を表示装置へ表示、あるいは印字装置に出力する。通信制御用操作部６は通信制御部３の制御を行う。通信制御部３、ファイルサーバー４、ＯＭＲ認識装置５、通信制御用操作部６はＬＡＮ（ローカルエリアネットワーク）７によって結ばれている。ファクシミリ端末１は注文内容、アンケート等をその内容別に予め決められたマークシートに記入し、ファイルサーバー４の記憶領域、すなわち私書箱のＢＯＸ番号を指定して送信する。これを受信すると、通信制御部３により指定したファイルサーバー４の指定された記憶領域に格納されＯＭＲ認識装置５によりマークシート原稿の内容が認識され、その結果がファイルサーバー４の別の領域に格納される。認識結果はＯＭＲ認識装置５により出力される。
【００１０】
図２はＯＭＲ認識装置のハードウェア構成図である。破線で囲まれた部分が本体を示し、これに周辺機器が接続されている。ＣＰＵ１０はＲＯＭ１１に格納されたプログラムに基づき、認識処理および全体の制御を行う。ＲＯＭ１１には認識処理や接続されている周辺機器の基本入出力ルーチンを表すプログラムが格納されている。ＲＡＭ１２はＣＰＵ１０の作業エリアでプログラムを読み出して展開し、認識処理を実行し、入出力データを記憶する。キーボードインタフェース１３は接続するキーボード１４との入出力を制御する。パラレルインタフェース１５は接続するプリンタ１６との入出力を制御する。ビデオインタフェース１７は接続するＣＲＴ（陰極線管）１８との入出力を制御する。フロッピーディスクコントローラ１９は接続するフロッピーディスク２０との入出力を管理し、ハードディスクコントローラ２１は接続するハードディスク２２との入出力を管理する。ＬＡＮボード２３は接続するＬＡＮ７との通信管理を行い、イメージ処理ボード２４はマークシート原稿の認識処理を行う。
【００１１】
図３はファイルサーバー４とＯＭＲ認識装置５との関係を示す図である。ファクシミリ端末１はマークシートに注文内容、アンケートなどを記入し、公知の方法でその注文内容に応じた宛先（ボックス番号）を指定して発信すると、通信制御部３はファイルサーバー４内の該当するボックス番号の記憶領域（メールボックス）に格納する。ファイルサーバー４はマークシート原稿を格納する複数のボックスよりなるメールボックス４ａと、各ボックスの情報、マークシートの仕様などを記憶したボックス、シートデータ領域４ｂと、ボックスの管理データやボックス内のマークシート原稿を認識したボックス認識データを記憶する管理、認識データ領域４ｃから構成されている。
ＯＭＲ認識装置５はボックス、シートデータ領域４ｂのデータ、ボックス管理データに基づいてメールボックス内のマークシート原稿を認識し、認識したデータを自己のワークファイル２２に格納すると共に管理、認識データ領域４ｃに格納する。また、認識結果をプリンタ１６で出力する。
【００１２】
図４は本実施例で使用されるマークシートの一例を示す。マークシート２５はシステムエリアＳとデータエリアＤに分かれており、システムエリアＳにはタイミングマーク２６とマークシートの種類を表すシート番号を記入するシート番号欄２７が設けられ、データエリアＤにはデータ記入欄２８が設けられている。マークシート２５はアンケート用とか、商品グループ別の注文用など、その目的別に別々のシートが定められ、シート番号として１からの整数が付番されている。なお、本実施例では予めシート番号欄２７の所望の位置を印刷したものを用いたが、同一のマークシートを異なる目的で利用するために、発信者がシート番号欄２７を塗りつぶしてマークシートの種別を決定するようにしてもよい。
【００１３】
図５はマークシート（ＯＭＲシート）情報の一例を示す図で、シート番号で区別される各ＯＭＲシートの認識範囲を示している。シート番号１のＯＭＲシートはデータ行数が１０個あり、各行について縦線で示されるデータのみ認識することを示している。なお、データエリアＤのデータ数は４０×４０あり、従来は全数を認識するようにしていたため、認識時間が長くなっていた。このように、ＯＭＲシート情報を備えることにより予め各シート番号に応じて認識するエリアと認識しないエリアを決定することができ、この結果、認識するエリアのみをマークが塗りつぶされているか否かを判別すれば良いので認識効率を上昇させることができる。また、この情報をマークシート別に備えれば、多種類のマークシート用紙を迅速に認識することができる。
【００１４】
図６はメールボックスの情報を示す。各メールボックスにはボックス番号が付番され、受信したマークシートを記憶する。インターバルタイマーはＯＭＲ認識装置５が認識を行うためにそのメールボックスにアクセスする時間間隔で、分単位で表されている。最大通数とは、そのメールボックスで認識を行うと定めた最大の通数である。通とはファクシミリ端末１が送信する電文の単位で１通は１枚、または複数のマークシートで構成され、１枚を１頁という。最大通数フリー（−１）とは、制限がないことを表し、（−１）がフリーを表している。ＯＭＲシート情報とは図５に示したシート番号を示す。なお、ＯＭＲ情報フリー（−１）とは、取り扱うシート番号を特定せず認識するということである。なお、フリー（−１）に対して固定（０）もあり、これは例えばマークシートの４０×４０のデータ範囲を全て認識するという意味である。このように各メールボックスにはそこで取り扱うシート番号が予め設定されている。なお、本図に示す値は必要に応じ再設定できるようになっている。
【００１５】
図７ではメーボックスのグループ分けを示す。ＯＭＲ認識装置５は複数のメールボックスの認識処理を行う場合があり、担当するメールボックスをまとめて表すのに参照番号で表す。この参照番号は登録番号とも言う。図５〜図７で示した情報は図３のボックス、シートデータ領域４ｂに格納されている。
【００１６】
次にＯＭＲ認識を実施する動作フローについて説明する。
図８はＯＭＲ認識動作フローの全体を表す図である。１．１ボックス情報抽出処理は、あるＯＭＲ認識装置５が認識処理を行うボックスの情報をファイルサーバー４より取り出して自己のワークファイル（ハードディスクに構成する）に書き込む処理である。１．２認識データ検索処理は、自己の担当するメールボックスの中から認識処理を行うマークシート原稿（以下電文と称する）を選択する処理である。１．３ＯＭＲ認識処理は１つの電文の認識処理であり、１．４認識結果データ蓄積処理は、認識した結果をファイルサーバー４に格納する処理である。
【００１７】
図９〜図１２は図８の各処理の内容を示す動作フロー図である。図１３〜図１５は図９〜図１２で用いるファイルの内容を示す。これらのファイルはファイルサーバー４とＯＭＲ認識装置５のハードディスクに格納されている。図９は図８の１．１の処理を表す。まずＯＭＲシートのシステム情報をファイルサーバー４にあるＯＭＲシート情報ファイルａ１より読み出す（Ｓ１０）。ＯＭＲシート情報ファイルａ１は図１３に示すようにＯＭＲシートのシステムエリアＳの仕様がシート番号ごとに記載されている。次に自己のＯＭＲ認識装置５が認識処理するメールボックスの情報をＯＭＲ共有環境ファイルａ４より取得する（Ｓ１１）。ＯＭＲ共有環境ファイルａ４は各ＯＭＲ認識装置５が認識処理を行うメールボックスを参照番号で示したもので、参照番号は図７で示すようにメールボックスのグループ分けを表している。参照番号は登録番号とも言う。
【００１８】
次に登録番号で示されるメールボックスの情報をＯＭＲボックス情報ファイルａ３より読み出す（Ｓ１２）。ＯＭＲボックス情報ファイルａ３には登録番号と各ボックス番号ごとに図６に示したボックス情報が示されている。担当するメールボックスごとに認識処理するデータ（電文）があるか否かを調べ（Ｓ１３）、有るとそのメールボックスの認識を開始する時間を現時点を基準として何分後かを図６のインターバルタイマーの値から算出し（Ｓ１４）、認識開始ワークファイルｃ１を自己のハードディスクに作成する（Ｓ１５）。ワークファイルｃ１の内容は図６に示すボックス情報に開始日時を追加したものである。このようにして自己の担当する登録番号で示されたメールボックスについて認識開始日時を決めてゆき、担当するメールボックス全部について終了したとき、データ無しにゆく。ここで担当するメールボックスが最初からないときは、データは始めから無しとなり、初回データ検索に該当し（Ｓ１６）、このときは実行不可の警告を出し（Ｓ１７）、最初の画面に戻る（Ｓ１８）。一方Ｓ１６で初回データ検索でないときは、次の１．２の処理へ移る。
【００１９】
図１０は図８の１．２の処理を表す。まず最初に認識を開始する日時を図９のＳ１５で作成したワークファイルｃ１を検索して読み出す（Ｓ２０）。この読み出した日時となるまで待ち（Ｓ２１，Ｓ２２）、開始日時となると、そのメールボックスの電文を検索にゆく。電文には各メールボックスごとに着信順に通信制御部３によって通番号が付番されている。検索はこの通番号の１番から順に行うようにするため、まずその通番を得る（Ｓ２３）。次にこの通番を有するＦＡＸボックス情報をＦＡＸボックス管理ファイルｂ１から検索する（Ｓ２４）。ＦＡＸボックス管理ファイルｂ１は各メールボックス内に格納された各電文のデータが格納されており、ボックス番号、通番号、電文のＦＡＸファイル名、電文の頁数、送信したファクシミリ端末１のＩＤ番号、この電文が認識されたか否かを示すＯＭＲ認識処理フラグ、この電文を処理するＯＭＲ認識装置番号等が記載されている。
【００２０】
検索しているメールボックスにデータ（電文）がない場合（Ｓ２５）、また有っても認識するメールボックスではなかった場合（Ｓ２６）は、次の検索日時を決定する（Ｓ２７）。すなわち、取得した現在日時とインターバルタイムを加算して次回の認識開始日時を算出する。そして、この算出した日時にワークファイルｃ１の認識開始情報を更新する（Ｓ２８）。
【００２１】
またデータは有り（Ｓ２５）、メールボックスが認識しようとするものと同一である（Ｓ２６）時は、認識しようとする電文のＯＭＲ認識処理フラグが未処理を示す（１）となっているか調べ（Ｓ２９）、処理済みであれば、Ｓ２４に戻り別の電文を取得する。未処理であれば、ＯＭＲ認識処理フラグを処理中、つまり２とし、ＯＭＲ装置番号を自己のＯＭＲ装置番号にする（Ｓ３０）。これによりＦＡＸボックス管理ファイルｂ１を更新する（Ｓ３１）。次に電文の送信元のＩＤ番号が付されているか否かを調べ（Ｓ３２）、付されていない場合は送信元のＩＤを０，名称を空白にし（Ｓ３３）、付されている場合、ＦＡＸユーザＩＤ管理ファイルａ５によりＦＡＸのＵＩＤ情報を得る。このＵＩＤ情報は送信元のＩＤ番号、氏名、名称である。
【００２２】
図１１は図８の１．３の処理を表す。まず現在認識処理をしようとしているメールボックスのボックス番号から、このメールボックスに設定されているフロッピーディスクに出力する最大通数をＯＭＲ認識蓄積ファイルｂ３から取得する（Ｓ４０）。このＯＭＲ蓄積ファイルｂ３は現在までに既に認識された各メールボックスの認識データが格納されている。次にこのメールボックスでの処理通数の合計値がフロッピーディスク（ＦＤ）出力待最大通数と等しいか、大きいかを調べ（Ｓ４１）、等しいか大きければ次のメールボックスの認識に移り、小さければ認識処理を実施する。この処理は注文などで先着順、何名まで受け付けを行うような時に用いられるものである。
【００２３】
次に認識するＦＡＸファイル（受信した電文）のイメージ展開をし（Ｓ４２）、システムエリアＳのシート番号を調べ（Ｓ４３）、これを認識シート番号とする。ここで現在認識するメールボックスのＯＭＲシート番号をＯＭＲボックス情報ファイルａ３から調べ、ＯＭＲシート番号がフリーを表す−１、固定を表す０になっているか、それとも図５で説明したシート番号（１，２，３，……）になっているかを調べる（Ｓ４４）。さらに、シ−ト認識モードが固定であるかフリーであるかを調べ（Ｓ４５）、フリーの場合は認識シート番号をシート情報取得番号とする（Ｓ４６）。あるメールボックスのＯＭＲシート番号がフリーとは、そのメールボックスは認識処理するＯＭＲシートの種類を１つに限定せず入ってきたＯＭＲシートは種類にこだわらず認識処理するというものである。また固定とは先に説明したようにＯＭＲシートの４０×４０のデータを全て認識するというものである。固定とフリーでない場合、シート番号となっている。そこでＯＭＲボックス情報ファイルａ３のＯＭＲシート番号と認識シート番号が等しいか調べ（Ｓ４７）、一致していればＯＭＲシート番号をシート情報取得番号とする（Ｓ４８）。またＳ４５で固定の場合は固定を表す（０）をシート情報取得番号とする（Ｓ４８）。
【００２４】
シート情報取得番号が決まるとＯＭＲシート情報ファイルａ２からその番号のデータ行の情報を取得し（Ｓ４９）、データ行（データエリアＤ内のデータ）の認識処理をする（Ｓ５０）。認識エラーが発生した場合（Ｓ５１）、またはＳ４７で認識シート番号とＯＭＲシート番号が一致しなかった場合は、認識エラー情報を設定する（Ｓ５２）。認識エラーがない場合には認識結果を格納するワークファイルｃ２を作成し、書き込みを行う（Ｓ５３）。以上の処理はＯＭＲシート１枚（１頁）ごとに行われているので、ＯＭＲシート電文の最終頁まで行う（Ｓ５４）。つまり、複数枚のＯＭＲシートで１通の電文を構成するときには１通内の最終頁のＯＭＲシートを処理するまで以上の動作（Ｓ４２の上流から）を繰り返し処理する。
【００２５】
次に、認識結果データを蓄積する処理について説明する。図１２は図８の１．４の処理を表すフロー図であるが、図１２において、認識を行ったメールボックス認識結果を認識結果ワークファイルｃ２から読み出し（Ｓ６０）、これをファイルサーバー４のＯＭＲ認識蓄積ファイルｂ２に書き込む（Ｓ６１）。この書き込みは１頁づつ行われ、その電文の最終頁まで行うように、Ｓ６０の上流から繰り返し処理する（Ｓ６２）。電文単位の最終頁である場合には、次に認識したメールボックスのボックス番号よりそのボックス内の認識処理したデータの合計を表す蓄積情報をＯＭＲ認識蓄積ファイルｂ３より検索し（Ｓ６３）、今回認識したデータでＯＭＲ認識蓄積ファイルｂ３を更新する（Ｓ６４）。次にＦＡＸボックス管理ファイルｂ１を読み出し（Ｓ６５）、ＯＭＲ認識処理フラグを処理済みを示す（０）とし（Ｓ６６）、これをＦＡＸボックス管理ファイルｂ１に書き込んで更新する（Ｓ６７）。以上により１つのメールボックス内の１つの電文の認識処理が終了する。次の電文の認識処理は上述の動作を繰り返す。
【００２６】
次に認識結果を画面表示する動作フローを図１６により説明する。これはＯＭＲ認識装置５ごとの認識結果を表示するものである。まず、そのＯＭＲ認識装置５が担当する登録番号内のメールボックスのＯＭＲボックス情報ファイルａ３を検索し、認識処理をしたメールボックスのボックス番号を調べ（Ｓ７０）、このボックス番号にデータがあると判別されたときには（Ｓ７１）、そのボックス番号の認識結果蓄積情報をＯＭＲ認識蓄積ファイルｂ３を検索する（Ｓ７２）。この認識結果蓄積情報が存在する場合（Ｓ７３）、ＯＭＲ認識装置５のハードディスクに認識結果一覧ワークファイルｃ３を作成する（Ｓ７４）。これはＯＭＲ認識蓄積ファイルｂ３を複写して生成する。このようにして登録番号内の全部のメールボックスについて認識結果一覧ワークファイルｃ３を作成すると、Ｓ７１において、登録番号内のボックス番号はなくなるのでデータ無の方に移り、ここで最初から登録番号内のボックス番号が無かったのか調べ（Ｓ７５）、無かった場合は、表示不可能の警報を出し（Ｓ７６）、最初の画面に戻る（Ｓ７７）。一方、登録番号内のボックス番号が最初の検索からあった場合は、認識結果一覧のワークファイルｃ３を画面に表示する（Ｓ７８）。
【００２７】
図１８は認識結果表示画面の一例を示す。ＯＭＲ認識装置ＮＯ．１で認識したボックス番号ごと処理通数、処理枚数、最終処理日時の一覧表が表示されている。このように、各ＯＭＲ認識装置別にマークシート原稿の最終認識処理時間及び処理通数等の表示を行うために認識処理の進捗状況を容易に把握することが可能となる。
【００２８】
図１７は認識結果をプリンタ１６で出力する動作フロー図である。画面表示の場合は各ボックス番号毎の認識処理を示したが、印刷出力は各電文ごとのデータが出力される。まず認識結果一覧ワークファイルｃ３を検索してボックス番号ごとの認識処理結果を示す情報を取り込み（Ｓ８０）、認識処理をしたボックス番号を検出する。次にＯＭＲ認識蓄積ファイルｂ２を検索し、電文単位の認識処理データを得て（Ｓ８１）、このデータをＯＭＲ認識装置５のハードディスクに頁単位に複写してＯＭＲ認識結果一覧ワークファイルｃ２を作成する（Ｓ８２）。これを各電文の全頁について行い、すなわち電文の最終頁であるか否かを判別し（Ｓ８３）、さらにメールボックス内の全電文について行い、次いて次のメールボックスについても行う（Ｓ８４）。このようにして登録番号内の全メールボックスについての認識データのワークファイルｃ２を作成した後、そのワークファイルｃ２を頁単位で読み出し（Ｓ８５）、頁単位のデータごとに（Ｓ８６）、認識結果の印刷処理をプリンタに行わせる（Ｓ８７）。ワークファイルｃ２のデータを全部印刷したとき終了する。
【００２９】
図１９はプリントアウトの一例を示す図である。ボックス番号、送信元のＩＤ、送信元の名称、ＦＡＸ登録受付時間、ＯＭＲ認識終了日時、頁、認識結果、通番、ＯＭＲ認識装置番号が印字される。
【００３０】
以上の説明から明らかなように本発明は、必要な通数のみの認識処理を行って無駄な認識作業を一切行わず、マークシート認識処理の運用効率を向上させることができる。
【００３１】
発信者が誤った記憶領域を指定した場合にも、同様に認識処理を行わないようにするので、無駄な認識作業を一切行わず、マークシート認識処理の運用効率を向上させることができる。また、発信者に誤った記憶領域を指定したことを通知するので発信者も次回からは正しい記憶領域宛に送信することができる。
【図面の簡単な説明】
【図１】実施例の構成を示すブロック図
【図２】ＯＭＲ認識装置のハードウェア構成図
【図３】ファイルサーバーとＯＭＲ認識装置との関係を示す図
【図４】ＯＭＲシートの一例を示す図
【図５】ＯＭＲシートの認識範囲を示す図
【図６】ボックス情報を示す図
【図７】メールボックスのグループ分けを参照番号で示す図
【図８】ＯＭＲ認識動作の全体フロー図
【図９】ボックス情報抽出処理フロー図
【図１０】認識データ検索処理フロー図
【図１１】ＯＭＲ認識処理フロー図
【図１２】認識結果データ蓄積処理フロー図
【図１３】ファイルサーバーのファイル内容を示す図
【図１４】ファイルサーバーのファイル内容を示す図
【図１５】ＯＭＲ認識装置のワークファイルの内容を示す図
【図１６】認識結果一覧表を表示するフロー図
【図１７】認識結果を各電文ごとに印刷するフロー図
【図１８】認識結果一覧表の表示例を示す図
【図１９】認識結果の各電文ごとの印刷例を示す図
【符号の説明】
１  ファクシミリ端末
２  電話回線網
３  通信制御部
４  ファイルサーバー
５  ＯＭＲ認識装置
６  通信制御用操作部
７  ＲＡＮ
【図１】
0003549258.tif 000002
【図２】
0003549258.tif 000003
【図３】
0003549258.tif 000004
【図４】
0003549258.tif 000005
【図５】
0003549258.tif 000006
【図６】
0003549258.tif 000007
【図７】
0003549258.tif 000008
【図８】
0003549258.tif 000009
【図９】
0003549258.tif 000010
【図１０】
0003549258.tif 000011
【図１１】
0003549258.tif 000012
【図１２】
0003549258.tif 000013
【図１３】
0003549258.tif 000014
【図１４】
0003549258.tif 000015
【図１５】
0003549258.tif 000016
【図１６】
0003549258.tif 000017
【図１７】
0003549258.tif 000018
【図１８】
0003549258.tif 000019
【図１９】
0003549258.tif 000020